(57)【要約】【課題】発電効率の低下を低減した屋根材型アレイを提供する。【解決手段】屋根材型アレイ１は、水平面に対して傾斜する傾斜方向に沿った第１主面３ａを有する第１太陽電池モジュール３Ａと、該第１太陽電池モジュール３Ａの第１主面３ａと平行に位置した第１主面３ａを有し、第１太陽電池モジュール３Ａよりも前記傾斜方向の上方に位置するとともに、前記傾斜方向に沿った第１間隙２１を空けて第１太陽電池モジュール３Ａと離れて配置された第２太陽電池モジュール３Ｂと、を備えている。また、屋根材型アレイ１において、第２太陽電池モジュール３Ｂは、第１太陽電池モジュール３Ａ側の端部において、第１太陽電池モジュール３Ａの第１主面３ｂの一部と第２間隙２２を空けて重なるように延びる第１フランジ１２ｄを有する。【選択図】  図１
2015158114.tif 000002
【特許請求の範囲】
【請求項１】
水平面に対して傾斜する傾斜方向に沿った第１主面を有する第１太陽電池モジュールと、該第１太陽電池モジュールの第１主面と平行に位置した第１主面を有し、前記第１太陽電池モジュールよりも前記傾斜方向の上方に位置するとともに、前記傾斜方向に沿った第１間隙を空けて前記第１太陽電池モジュールと離れて配置された第２太陽電池モジュールと、を備え、
前記第２太陽電池モジュールは、前記第１太陽電池モジュール側の端部において、前記第１太陽電池モジュールの第１主面の一部と第２間隙を空けて重なるように延びる第１フランジを有する、屋根材型アレイ。
【請求項２】
前記第１太陽電池モジュールおよび前記第２太陽電池モジュールは、太陽電池パネルおよび該太陽電池パネルの外周に固定されたフレームをそれぞれ有しており、
前記第１太陽電池モジュールは、前記第２太陽電池モジュール側の前記フレームに、前記第１フランジの下方に位置する第１受け部を有する、請求項１に記載の屋根材型アレイ。
【請求項３】
前記第２太陽電池モジュールは、前記第１太陽電池モジュール側の前記フレームに、前記第１受け部に接触する接触部および前記第１受け部との間に隙間が設けられた非接触部を具備する第２フランジを有する、請求項２に記載の屋根材型アレイ。
【請求項４】
前記第１太陽電池モジュールは、前記第２太陽電池モジュール側の前記フレームに、前記第１受け部の下方に位置しており、前記第１太陽電池モジュールの前記フレームの下方から前記第２太陽電池モジュールの下方まで延びる第２桶部を有する、請求項２または請求項３に記載の屋根材型アレイ。
【請求項５】
前記第２太陽電池モジュールは、前記第１太陽電池モジュール側の前記フレームに、前記第２フランジの前記非接触部の下方に位置する第３フランジを有する、請求項３に記載の屋根材型アレイ。
【請求項６】
前記第１太陽電池モジュールは、前記第２太陽電池モジュール側の前記フレームに、前記第１太陽電池モジュールの傾斜方向に貫通する第１孔部を有し、
前記第２太陽電池モジュールは、前記第１太陽電池モジュール側の前記フレームに、前記第２太陽電池モジュールの傾斜方向に貫通する第２孔部を有する、請求項２乃至請求項５のいずれかに記載の屋根材型アレイ。
【請求項７】
前記第１太陽電池モジュールは、前記第２太陽電池モジュール側の前記フレームの端部上に、前記第１フランジに向かって突出する凸部を有する、請求項２乃至請求項６のいずれかに記載の屋根材型アレイ。
【発明の詳細な説明】
【技術分野】
【０００１】
本発明は、屋根材型アレイに関する。
【背景技術】
【０００２】
近年の環境保護の気運の高まりに伴い、太陽光発電システムが注目されている。太陽光発電システムには、例えば屋根の下地材の上に屋根材の機能を兼ね備えた屋根材型アレイと呼ばれるものがある。
【０００３】
屋根材型アレイには、例えば、屋根の下地材に対して平行に太陽電池モジュールを配置したものがある。このような屋根材型アレイでは、太陽電池モジュールのサイズを大きくしやすく、少ない枚数の太陽電池モジュールで大きな発電容量を得られやすい。
【０００４】
しかし、上述の屋根材型アレイでは、太陽電池モジュールと屋根の下地材の間に位置する空間が閉塞されるため、太陽電池モジュールと屋根の下地材との間の部分が外気（空気）で冷されにくくなる。これにより、太陽電池モジュールが冷却されにくくなる。その結果、このような屋根材型アレイでは、太陽電池モジュールの温度が上昇して、発電効率が低下するおそれがあった。
【０００５】
そこで、太陽電池モジュールと屋根の下地材との間に屋外の空気を導入して、太陽電池モジュールを冷却することができる屋根材型アレイが開示されている（例えば、特許文献１参照）。
【先行技術文献】
【特許文献】
【０００６】
【特許文献１】特開２００５−３０７６５９号公報
【発明の概要】
【発明が解決しようとする課題】
【０００７】
上記特許文献１に開示された屋根材型アレイでは、屋根材型アレイの軒側のみから空気を導入しているため、空気が軒側から棟側へ向けて移動するにしたがって高温となりやすい。そのため、棟側の太陽電池モジュールは、軒側の太陽電池モジュールに比べて十分に冷却されにくい。これにより、上記特許文献１に開示された屋根材型アレイでは、棟側の太陽電池モジュールの温度が上昇することによって、屋根材型アレイの発電効率が低下する場合があった。
【０００８】
本発明の１つの目的は、太陽電池モジュールを効率よく冷却することで太陽電池モジュールの発電効率の低下を低減する屋根材型アレイを提供することにある（例えば、特許文献１参照）。
【課題を解決するための手段】
【０００９】
本発明の一実施形態に係る屋根材型アレイは、水平面に対して傾斜する傾斜方向に沿った第１主面を有する第１太陽電池モジュールと、該第１太陽電池モジュールの第１主面と平行に位置した第１主面を有し、前記第１太陽電池モジュールよりも前記傾斜方向の上方に位置するとともに、前記傾斜方向に沿った第１間隙を空けて前記第１太陽電池モジュールと離れて配置された第２太陽電池モジュールと、を備えている。また、本実施形態において、前記第２太陽電池モジュールは、前記第１太陽電池モジュール側の端部において、前記第１太陽電池モジュールの第１主面の一部と第２間隙を空けて重なるように延びる第１フランジを有する。
【発明の効果】
【００１０】
本実施形態に係る屋根材型アレイによれば、第２太陽電池モジュールに設けられた第１フランジによって、防水性を確保しつつ、屋外の空気を第１間隙および第２間隙を介して第２太陽電池モジュールと下地材との間に導入しやすくなる。これにより、本実施形態では、傾斜方向の上方に位置する第２太陽電池モジュールを効率よく冷却できるため、発電効率の低下を低減できる。
【図面の簡単な説明】
【００１１】
【図１】図１は、本発明の一実施形態に係る屋根材型アレイを示す図であり、図１（ａ）は屋根材型アレイの斜視図、図１（ｂ）は図１（ａ）の屋根材型アレイから太陽電池モジュールを取り外した様子を示す斜視図である。
【図２】図２は、本発明の一実施形態に係る屋根材型アレイに用いる太陽電池モジュールの一例を示す図であり、図２（ａ）は太陽電池モジュールを受光面側から見た平面図、図２（ｂ）は図２（ａ）をＡ−Ａ’線で切断した場合の端面図である。
【図３】図３は、本発明の一実施形態に係る屋根材型アレイに用いる太陽電池モジュールの一例を示す図であり、図３（ａ）は図２（ａ）のＢ−Ｂ’線で切断した場合の端面図であり、図３（ｂ）は図２（ａ）のＣ−Ｃ’線で切断した場合の端面図であり、図３（ｃ）は図２（ａ）のＤ−Ｄ’線で切断した場合の端面図である。
【図４】図４は、本発明の一実施形態に係る屋根材型アレイに用いる樋部材の一例を示す図であり、図１（ｂ）に示す樋部材をＥ−Ｅ’線で切断した場合の断面図である。
【図５】図５は、本発明の一実施形態に係る屋根材型アレイの一部を示す図であり、図５（ａ）は図１のＦ−Ｆ’線における断面図、図５（ｂ）は図１（ａ）のＧ−Ｇ’線における断面図である。
【図６】図６は、本発明の一実施形態に係る屋根材型アレイの一部を示す図であり、図１（ａ）のＨ部を拡大して示す分解斜視図である。
【図７】図７は、本発明の他の実施形態に係る屋根材型アレイの一部を示す図であり、図５（ａ）に相当する部分を示す断面図である。
【図８】図８は、本発明の他の実施形態に係る屋根材型アレイの一部を示す図であり、図５（ａ）に相当する部分を示す断面図である。
【発明を実施するための形態】
【００１２】
以下、本発明の一実施形態に係る屋根材型アレイについて、図面を参照しつつ詳細に説明する。なお、屋根材型アレイを構成する同一名称の部材については同一符号を付すものとし、重複した説明を省略する。
【００１３】
（第１実施形態）
図１に示すように、屋根材型アレイ１は、構造物の傾斜面２（例えば、野地板２ａ）上に、複数の太陽電池モジュール３が配置されている。また、屋根材型アレイ１では、この傾斜面２の傾斜方向と直交する方向に所定の間隔を空けて樋部材４が配置されている。太陽電池モジュール３は、樋部材４上に載置されるとともに、締結部材５（図１では不図示）で傾斜面２に固定される。また、屋根材型アレイ１では、傾斜方向に直交する方向に沿って隣り合う太陽電池モジュール３の間に蓋部材６が配置されている。
【００１４】
なお、以下の説明では、水平面に対して傾斜する傾斜面２において、下方から上方に延びる方向をＹ方向とし、傾斜面２と平行でＹ方向に垂直な方向をＸ方向とし、Ｘ方向およびＹ方向の双方に対して鉛直な方向をＺ方向とする。また、通常、光を受けて発電に寄与する側の面を受光面とし、受光面と反対側の面を裏面とする。また、Ｚ方向において、＋Ｚ側を上とし、−Ｚ側を下とする。また、屋根材型アレイ１が傾斜面２上に設置された際に、Ｙ方向における上方向側を棟側とし、Ｙ方向における下方向側を軒側とする。
【００１５】
図２および図３に示すように、太陽電池モジュール３は、主として光を受光する第１主面３ａ（透光性基板１５の一主面）と該第１主面３ａの反対側に位置する第２主面３ｂ（裏面保護部材１９の一主面）とを有している。太陽電池モジュール３は、第１主面３ａがＹ方向に沿うように傾斜面２上に配置されている。また、太陽電池モジュール３は、太陽電池パネル１１と、この太陽電池パネル１１の外周に固定された第１フレーム１２、第２フレーム１３および第３フレーム１４を有している。
【００１６】
太陽電池パネル１１は、第１主面３ａ側から順に、太陽電池モジュール３の基板を兼ねる透光性基板１５と、熱硬化性樹脂等からなる一対の充填材１６と、これら充填材１６に周囲を保護されるとともにインナーリード１７で互いに電気的に接続された複数の太陽電池素子１８と、裏面保護部材１９とを備えている。さらに、太陽電池モジュール３は、第２主面３ｂ上に、太陽電池モジュール３の太陽電池素子１８で得られた出力を外部に取り出すための端子ボックス２０を備えている。
【００１７】
太陽電池パネル１１の外形は、第１主面３ａ側からみて矩形状である。なお、以下の説明では、屋根材型アレイ１を設置した際に、太陽電池パネル１１の軒側に位置する一辺を第１側部（軒側）１１ａ、棟側に位置する一辺を第２側部（例えば棟側）１１ｂ、一対の相対する二辺を第３側部１１ｃとする。
【００１８】
透光性基板１５は、太陽電池モジュール３の基板としての役割を有する。このような透光性基板１５としては、例えば、強化ガラスまたは白板ガラス等が挙げられる。
【００１９】
充填材１６は、インナーリード１７および太陽電池素子１８等を被覆して保護する機能を有している。また、充填材１６は、透光性基板１５と裏面保護材１９との間で、インナーリード１７および太陽電池素子１８を封止する。このような充填材１６としては、０．３ｍｍ以上で且つ０．８ｍｍ以下の厚みのエチレンビニルアセチレートの共重合体、またはポリエチレン、ポリビニルブチラールなどの熱硬化性樹脂が挙げられる。
【００２０】
インナーリード１７は、隣り合う太陽電池素子１８同士を電気的に接続する。このようなインナーリード１７としては、例えば、太陽電池素子１８と接続させるための半田が被覆された銅箔などが挙げられる。
【００２１】
太陽電池素子１８は、例えば、単結晶シリコンまたは多結晶シリコン等からなる平板状の部材が用いられる。このようなシリコン基板を用いる場合は、上述したように、インナーリード１７で隣接するシリコン基板同士を電気的に接続すればよい。
【００２２】
また、太陽電池素子１８の種類は特に制限されない。例えば、太陽電池素子１８として、アモルファスシリコンからなる薄膜太陽電池、主に銅−インジウム−ガリウム−セレンの四元化合物からなるＣＩＧＳ系太陽電池、ＣｄＴｅ系太陽電池、または結晶シリコン基板上に薄膜アモルファスを形成した太陽電池等を用いてもよい。例えば、アモルファスシリコン系太陽電池、ＣＩＧＳ系太陽電池またはＣｄＴｅ系太陽電池を採用する場合、透光性基板上において、アモルファスシリコン層、ＣＩＧＳ層またはＣｄＴｅ層を透明電極等と組み合わせて適宜積層するようにしたものが利用できる。
【００２３】
裏面保護材１９は、太陽電池モジュール３の第２主面３ｂを保護する機能を有している。このような裏面保護材１９は、太陽電池モジュール３の裏面３ｂ側に位置する充填材１６と接着している。このような裏面保護材１９には、例えば厚みが２ｍｍ〜４ｍｍの透光性を有するガラス板や、厚みが０．３ｍｍ以上で且つ０．５ｍｍ以下のポリビニルフルオライド（ＰＶＦ）、ポリエチレンテレフタレート（ＰＥＴ）、ポリエチレンナフタレート（ＰＥＮ）、あるいは、これらを２種以上積層した樹脂を用いることができる。また、太陽電池モジュール３では、裏面保護材１９に透光性を有すガラス板を用いることによって、太陽電池モジュール３の第２主面３ｂ側から入射される光の一部を受けて発電に寄与させることができる。
【００２４】
また、端子ボックス２０は、変性ポリフェニレンエーテル樹脂（変性ＰＰＥ樹脂）またはポリフェニレンオキサイド樹脂（ＰＰＯ樹脂）からなる箱体内にターミナル板を備えており、さらに端子ボックス２０の外部へ電力を導出する出力ケーブルを備えるものでよい。また、ターミナル板には、バイパスダイオードが設けられている。これにより、太陽電池パネル１１に影が発生したときに生じる発熱を低減できる。なお、端子ボックス２０は、必要に応じて取り付ければよい。例えば、裏面保護材１９にガラス板を用いて、端子ボックス２０に代えてターミナル、バイパスダイオード等を樹脂等で覆うような形態であってもよい。
【００２５】
第１フレーム１２、第２フレーム１３および第３フレーム１４は、太陽電池パネル１１を保護する機能を有する。これらのフレームとしてアルミニウム材を用いた場合、押し出し成形等で製造することができるので好適である。図２（ａ）に示すように、第１フレーム（軒側）１２は太陽電池パネル１１の第１側部（軒側）１１ａに固定されている。また、第２フレーム（棟側）１３は太陽電池パネル１１の第２側部（棟側）１１ｂに固定されている。また、第３フレーム（横側）１４は太陽電池パネル１１の第３側部（横側）１１ｃに固定されている。
【００２６】
第１フレーム１２は、太陽電池パネル１１の第１側部１１ａを挟持する第１嵌合部１２ａと、第１主面３ａから第２主面３ｂに向かう方向に沿って第１嵌合部１２ａから延びる第１外壁部１２ｂと、第１外壁部１２ｂの下側から太陽電池モジュール３の第２主面３ｂ側に張り出した第１底部１２ｃを有する。さらに、第１フレーム１２は、第１外壁部１２ｂの上側から第１主面３ａに平行な面に対して上方側に傾斜するように太陽電池モジュール３の外側に向かって延びる第１フランジ１２ｄを有する。また、第１フレーム１２は、第１外壁部１２ｂの中間から太陽電池モジュール３の外側に向かって延びる第２フランジ１２ｅと、第１外壁部１２ｂの下側から太陽電池モジュール３の外側に向かって延びる第３フランジ１２ｆを有する。
【００２７】
第２フレーム１３は、太陽電池パネル１１の第２側部１１ｂを挟持する第２嵌合部１３ａと、第１主面３ａから第２主面３ｂに向かう方向に沿って第２嵌合部１３ａから延びる第２外壁部１３ｂと、第２外壁部１３ｂの下側から太陽電池モジュール３の第２主面３ｂ側に張り出した第２底部１３ｃを有する。さらに、第２フレーム１３は、第２外壁部１３ｂの中間から太陽電池モジュール３の外側に向かって延びる第１受け部１３ｄを有する。この第１受け部１３ｄは、雨水等を貯めることができるように凹状を成している。また、第２フレーム１３は、第２外壁部１３ｂの下側から太陽電池モジュール３の外側に向かって延出されるとともに、端部が上側に向かって屈曲した略板状の第２受け部１３ｅを有する。また、第２フレーム１３は、第２底部１３ｃおよび該第２底部１３ｃの端部から上側に延びる略板状の第１リブ１３ｈによって形成された第３受け部１３ｉを有する。
【００２８】
第３フレーム１４は、太陽電池パネル１１の第３側部１１ｃを挟持する第３嵌合部１４ａと、第１主面３ａから第２主面３ｂに向かう方向に沿って第３嵌合部１４ａから延びる第３外壁部１４ｂと、第３外壁部１４ｂの下側の端部に相当する脚部１４ｄとを有する。脚部１４ｄは、第３外壁部１４ｂの下側の端部から太陽電池モジュール３の外側に向かって張り出された第１張出部１４ｅと、第１張出部１４ｅの端部から上方に突出した突出部１４ｆを有する。また、第３フレーム１４は、第３外壁部１４ｂの下側の端部から太陽電池モジュール３の第２主面３ｂ側に向かって延びるとともに、端部が上側に向かって屈曲
した部位を有する第４受け部１４ｇを有する。
【００２９】
第１受け部１３ｄ、第２受け部１３ｅ、第３受け部１３ｉおよび第４受け部１４ｇは、外部から浸入してくる雨水や砂などを樋部材４に導く部材である。樋部材４は、長尺状の部材であり、図４に示すように、平板状の基部４ａと短手方向の両端部に設けられた折り曲げ部４ｂとを有する。このような樋部材４は、耐食性の観点からステンレス鋼や溶融亜鉛メッキを施した鋼板やガルバリウム鋼板などを用いて製造することができる。
【００３０】
次に図１、図５、図６を用いて、屋根材型アレイ１の具体的な構成について説明する。以下、説明の便宜上、図１に示すように、上下に隣接して設置された２枚の太陽電池モジュール３のうち、下方側に位置する太陽電池モジュール３を第１太陽電池モジュール３Ａとして、上方側に位置する太陽電池モジュールを第２太陽電池モジュール３Ｂとする。また、第１太陽電池モジュール３Ａの右側に隣接して配置された太陽電池モジュールを第３太陽電池モジュール３Ｃとする。
【００３１】
図１（ｂ）に示すように、複数の樋部材４は、傾斜面２上にその長手方向がＹ方向に沿うように配置されている。また、複数の樋部材４は、Ｘ方向に沿って太陽電池モジュール３のＸ方向の寸法と略同じ間隔をあけて配置される。また、複数の太陽電池モジュール３は、相対する第３フレーム１４の脚部１４ｄが樋部材４の基部４ａに締結部材５で固定される。具体的には、例えば、図５（ｂ）に示すように、第１太陽電池モジュール３Ａおよび第３太陽電池モジュール３Ｃの一対の突出部１４ｆを覆う締結部材５の係合部材５ａで係合される。また、第１太陽電池モジュール３Ａおよび第３太陽電池モジュール３Ｃは、係合部材５ａの貫通穴５ａ１を挿通し、樋部材４を貫通する木ねじ５ｂによって傾斜面２に固定される。同様に、第２太陽電池モジュール３Ｂは、第１太陽電池モジュール３ＡのＹ方向の上側に隣接するように、締結部材５を用いて傾斜面２に固定される。
【００３２】
より詳細には、図５（ａ）に示すように、第１太陽電池モジュール３Ａと第２太陽電池モジュール３Ｂとは、それぞれの第１主面３ａ同士が傾斜面２に対して平行となるように配置される。また、第１太陽電池モジュール３Ａおよび第２太陽電池モジュール３Ｂの第１主面３ａ同士が同一平面となるように平行に配置される。また、第１太陽電池モジュール３Ａの第２フレーム１３の外壁部１３ｂと、第２太陽電池モジュール３Ｂの第１フレーム１２の第１外壁部１２ｂとは、Ｙ方向に沿った第１間隙２１を空けて配置される。
【００３３】
また、本実施形態では、Ｚ方向側から平面視したときに、第２太陽電池モジュール３Ｂの第１フランジ１２ｄは、第１太陽電池モジュール３Ａの第１主面３ａと重なるように位置している。このとき、第１太陽電池モジュール３Ｂ側の端部（第２太陽電池モジュール３Ｂのフレーム１３）において、第２太陽電池モジュール３Ｂの第１フランジ１２ｄは、第１太陽電池モジュール３Ａの第１主面３ａの一部との間に、Ｚ方向に沿った第２間隙２２を空けて配置されている。
【００３４】
また、太陽電池モジュール３の第１フランジ１２ｄは、傾斜面２に設置したときに第１嵌合部１２ａ側から先端に向かうにしたがって重力方向へ下る方向に傾斜している。これにより、第１フランジ１２ｄ上に雨水が滞留しにくくなる。
【００３５】
このように、本実施形態では、第１フランジ１２ｄを設けたことによって、外気を第１間隙２１および第２間隙２２を通って太陽電池モジュール３と傾斜面２との間に導入させることができる。これにより、本実施形態では、傾斜方向（Ｙ方向）の上方側に位置する第２太陽電池モジュール３Ｂを効率よく冷却できる。その結果、太陽電池モジュール３（第２太陽電池モジュール３Ｂ）の発電効率の低下を低減できる。また、本実施形態では、第１フランジ１２ｄを設けたことによって、第２太陽電池モジュール３Ｂから第１太陽電池モジュール３Ａに向かって流れる雨水の浸入を低減しやすくなる。
【００３６】
さらに、本実施形態では、図５に示すように、第１太陽電池モジュール３Ａの第１受け部１３ｄは、強風時等に第２間隙２２から入り込んだ雨水をＸ方向に流して樋部材４に導くことができる。すなわち、第１受け部１３ｄは、排水機能を担っている。これにより、第２間隙２２から吹き込んだ雨水による野地板２ａの腐食を低減できる。また、第２太陽電池モジュール３Ｂの第１フランジ１２ｄの裏面側から下垂するように設けられた第２リブ１２ｄ１は、強風時等に第２間隙２２から吹き込む雨水の勢いを弱めて、雨水を第１受け部１３ｄに誘導することができる。これにより、野地板２ａの腐食の発生をより低減できる。
【００３７】
第２太陽電池モジュール３Ｂの第１フレーム１２に設けられた第２フランジ１２ｅは、図６に示すように、第１フレーム１２の長手方向に沿って部分的に切欠かれた切欠き部１２ｅ１を有していてもよい。このとき、第２フランジ１２ｅの先端は、相対する第１受け部１３ｄと当接する接触部となる。このような接触部を有することによって、第２太陽電池モジュール３Ｂの第１フレーム１２は、積雪等によりＹ方向に強い荷重が加わった時に第１太陽電池モジュール３Ａの第２フレーム１３によって支持される。これにより、第２太陽電池モジュール３Ｂの第１フレーム１２に生じ得る歪みや曲げ変形の発生を低減できる。
【００３８】
一方で、切欠き部１２ｅ１の部分は、第１受け部１３ｄと当接しない非接触部となる。第２間隙２２から導入された外気は、非接触部を通って太陽電池モジュール３（第２太陽電池モジュール３Ｂ）の第２主面３ｂ側に導かれる。これにより、第２太陽電池モジュール３Ｂを効率よく冷却できる。また、第２太陽電池モジュール３Ｂの第１フレーム１２は、第２フランジ１２ｅの非接触部の下方に第３フランジ１２ｆを有していてもよい。第３フランジ１２ｆを設けることによって、第１間隙２１および第２間隙２２を通って第２太陽電池モジュール３Ｂの第２主面３ｂ側に移動する外気の経路がジグザグ状となる。これにより、第１間隙２１からの外気の勢いを弱めることができる。これにより、強風時等によって第２太陽電池モジュール３Ｂに対する＋Ｚ方向に生じ得る負圧の発生低減できる。また、第３フランジ１２ｆから桶部材４に排水することもできる。で止められて、傾斜面２を水濡れさせて腐食の原因となることを防止することができる。
【００３９】
第１太陽電池モジュール３Ａの第２フレーム１３の第２受け部１３ｅは、第２太陽電池モジュール３Ｂの第１フレーム１２を下側から覆うように配置されている。これにより、第２受け部１３ｅが、第１フレーム１２に結露で生じた水滴を受けることができる。その結果、傾斜面２の水による腐食等の発生を低減できる。
【００４０】
（第２実施形態）
本実施形態に係る屋根材型アレイ１は、図７に示すように、第１太陽電池モジュール３Ａの第２フレーム１３の第２外壁部１３ｂにおいて、Ｙ方向に第２外壁部１３ｂを貫通する第１孔部１３ｆを有している。また、第２太陽電池モジュール３Ｂの第１フレーム１２の第１外壁部１２ｂには、Ｙ方向に第１外壁部１２ｂを貫通する第２孔部１２ｇを有している。
【００４１】
これにより、本実施形態では、太陽電池パネル１１と第１フレーム１２とのなす角部近傍および太陽電池パネル１１と第２フレーム１３とのなす角部近傍における空気の滞留を低減できる。その結果、太陽電池モジュール３を効率よく冷却できる。また、第１孔部１３ｆと第２孔部１２ｇとは、互いに対向する位置に設けてもよい。これにより、第１孔部１３ｆおよび第２孔部１２ｇの中を外気がスムーズに通過することができる。よって、太陽電池モジュール３をより効率よく冷却できる。
【００４２】
また、第１孔部１３ｆは、第１受け部１３ｄの下側に設けられている。これにより、雨水の吹き込みが低減しやすくなる。また、第２孔部１２ｇは、第２フランジ１２ｅの下側に設けられている。このとき、第２孔部１２ｇを切欠き部１２ｅ１の下側には設けないようにしてもよい。これにより、雨水が切り切欠き部１２ｅ１および第２孔部１２ｇを介して野地板２ａに浸入しにくくできる。その結果、屋根材アレイ１の防水性を高めることができる。
【００４３】
（第３実施形態）
本実施形態に係る屋根材型アレイ１は、図８に示すように、第１太陽電池モジュール３Ａの第２フレーム１３の第２嵌合部１３ａの上側に、第２太陽電池モジュール３Ｂの第１フランジ１２ｄに向かって突出する凸部１３ｊを有している。
【００４４】
これにより、本実施形態では、強風時に太陽電池モジュール３の第１主面３ａに沿って吹き上げられた雨水が第２間隙２２から浸水しにくくできる。その結果、屋根材型アレイ１の裏面（太陽電池モジュール３の第２主面３ｂ）に冷たい外気を導入する機能を持ちつつ、防水性を高めることができる。このような凸部１３ｊは、第２フレーム１３と一体的に設けてもよいし、別体で設けてもよい。
【００４５】
なお、本実施形態に適用できる太陽電池モジュール３としては、上述の実施形態で説明したスーパーストレート構造のものに限られるものではなく、ガラスパッケージ構造または、サブストレート構造などの種々の構造のものに適用可能である。
【符号の説明】
【００４６】
１：屋根材型アレイ
２：傾斜面
２ａ：野地板
３：太陽電池モジュール
３ａ：第１主面
３ｂ：第２主面
３Ａ：第１太陽電池モジュール
３Ｂ：第２太陽電池モジュール
３Ｃ：第３太陽電池モジュール
４：樋部材 
５：締結部材
５ａ：係合部材
５ａ１：貫通穴
５ｂ：木ねじ
６：蓋部材
１１：太陽電池パネル
１１ａ：第１側部（軒側）
１１ｂ：第２側部（棟側）
１１ｃ：第３側部（横側）
１２：第１フレーム（軒側）
１２ａ：第１嵌合部
１２ｂ：第１外壁部
１２ｃ：第１底部
１２ｄ：第１フランジ
１２ｄ１：第２リブ
１２ｅ：第２フランジ
１２ｅ１：切欠き部
１２ｆ：第３フランジ
１２ｇ：第２孔部
１３：第２フレーム（棟側）
１３ａ：第２嵌合部
１３ｂ：第２外壁部
１３ｃ：第２底部
１３ｄ：第１受け部
１３ｅ：第２受け部
１３ｆ：第１孔部
１３ｈ：第１リブ
１３ｉ：第３受け部
１３ｊ：凸部
１４：第３フレーム（横側）
１４ａ：第３嵌合部
１４ｂ：第３外壁部
１４ｃ：第３底部
１４ｄ：脚部
１４ｅ：第１張出部
１４ｆ：突出部
１４ｇ：第４受け部
１５：透光性基板
１６：充填材
１７：インナーリード
１８：太陽電池素子
１９：裏面保護部材
２０：端子ボックス
２１：第１間隙
２２：第２間隙
【図１】
2015158114.tif 000003
【図２】
2015158114.tif 000004
【図３】
2015158114.tif 000005
【図４】
2015158114.tif 000006
【図５】
2015158114.tif 000007
【図６】
2015158114.tif 000008
【図７】
2015158114.tif 000009
【図８】
2015158114.tif 000010